(57)【要約】【課題】  電圧制御を良好に行いつつ、良好なシステム効率を達成する。【解決手段】  本発明の燃料電池システムは、モータと並列に接続された燃料電池及び蓄電装置と、モータと燃料電池との間の第一電圧変換器と、モータと蓄電装置との間の第二電圧変換器と、第一及び第二電圧変換器とモータとの間の負荷回路と、制御部と、を備えている。制御部は、燃料電池の端子電圧をＶＦＣ、蓄電装置の端子電圧をＶＢＡＴ、モータにおける必要なトルクを確保しつつシステム損失が最小になるように設定された負荷回路の入力端子電圧である負荷回路入力下限電圧をＶＭ＿ｍｉｎ、とすると、ＶＦＣ＞ＶＭ＿ｍｉｎかつＶＦＣ＞ＶＢＡＴ＋αの条件が成立する場合には第一電圧変換器による昇圧動作を停止させる一方、かかる条件が成立しない場合には第一電圧変換器による昇圧動作の停止を禁止する。【選択図】  図６
2015038882.tif 000002
【特許請求の範囲】
【請求項１】
モータと、
前記モータと並列に接続された燃料電池及び蓄電装置と、
前記モータと前記燃料電池との間に設けられていて、入力された前記燃料電池の端子電圧を昇圧して出力する、第一電圧変換器と、
前記モータと前記蓄電装置との間に設けられていて、入力された前記蓄電装置の端子電圧を昇圧して出力する、第二電圧変換器と、
前記第一電圧変換器及び前記第二電圧変換器と前記モータとの間に設けられた、負荷回路と、
を含み、前記燃料電池及び／又は前記蓄電装置から出力された電力を、前記負荷回路を介して前記モータに供給する、燃料電池システムにおいて、
前記燃料電池の前記端子電圧をＶＦＣ、前記蓄電装置の前記端子電圧をＶＢＡＴ、前記モータにおける必要なトルクを確保しつつ当該燃料電池システムにおける損失が最小になるように設定された前記負荷回路の入力端子電圧である負荷回路入力下限電圧をＶＭ＿ｍｉｎ、とすると、ＶＦＣ＞ＶＭ＿ｍｉｎかつＶＦＣ＞ＶＢＡＴ＋α（αは符号が正の定数：ＶＢＡＴ＋αは、前記蓄電装置の前記端子電圧がＶＢＡＴであるときにおける、昇圧型の前記第二電圧変換器による電圧制御が可能な下限電圧に相当する。）の条件が成立する場合には前記第一電圧変換器による昇圧動作を停止させて前記燃料電池の出力を直接的に前記負荷回路に伝達する一方、前記条件が成立しない場合には前記第一電圧変換器による昇圧動作の停止を禁止する、制御部を備えたことを特徴とする、燃料電池システム。
【請求項２】
請求項１に記載の、燃料電池システムであって、
前記条件におけるＶＢＡＴ＋αは、昇圧型の前記第二電圧変換器による電圧制御が可能な下限電圧であることを特徴とする、燃料電池システム。
【発明の詳細な説明】
【技術分野】
【０００１】
本発明は、燃料電池から出力された電力をモータに供給する燃料電池システムに関する。
【背景技術】
【０００２】
この種のシステムとして、燃料電池及び蓄電装置（二次電池等）をモータに並列に接続し、モータと燃料電池との間に昇圧型のＤＣ−ＤＣコンバータ（以下、「ＦＣ昇圧コンバータ」と称する。）を設けるとともに、モータと蓄電装置との間に昇圧型のＤＣ−ＤＣコンバータ（以下、「バッテリ昇圧コンバータ」と称する。）を設けたものが知られている（例えば、特開２００７−３１８９３８号公報等参照。）。さらに、かかるシステムにおいて、状況に応じて、ＦＣ昇圧コンバータやバッテリ昇圧コンバータにおける昇圧動作を停止させる構成のものが知られている（例えば、特開２００７−２０９１６１号公報、特開２０１０−４５８８９号公報、特開２０１０−１２４６８９号公報、等参照。）。
【発明の概要】
【０００３】
上記のような従来のシステムにおいて、不用意に上述の各コンバータにおける昇圧動作を停止させると、かえってシステム内における電圧制御に破綻を来し、場合によっては過電流や過電圧の発生を招来するおそれがあった。本発明は、かかる課題を解決するためになされたものである。
【０００４】
本発明の燃料電池システムは、モータと、燃料電池と、蓄電装置と、第一電圧変換器と、第二電圧変換器と、負荷回路と、制御部と、を備えていて、前記燃料電池及び／又は前記蓄電装置から出力された電力を、前記負荷回路を介して前記モータに供給するようになっている（例えば、本出願人の先願である特開２００９−１６５２４４号公報参照。）。なお、前記燃料電池は、「燃料電池スタック」と称されることもある。
【０００５】
前記燃料電池及び前記蓄電装置は、前記モータと並列に接続されている。前記第一電圧変換器は、前記モータと前記燃料電池との間に設けられた電圧変換器（昇圧型ＤＣ−ＤＣコンバータ）であって、入力された前記燃料電池の端子電圧を昇圧して出力するようになっている。同様に、前記第二電圧変換器は、前記モータと前記蓄電装置との間に設けられた電圧変換器（昇圧型ＤＣ−ＤＣコンバータ）であって、入力された前記蓄電装置の端子電圧を昇圧して出力するようになっている。前記負荷回路は、前記第一電圧変換器及び前記第二電圧変換器と前記モータとの間に設けられている。前記制御部は、当該燃料電池システムにおける各部の動作を制御するように設けられている。
【０００６】
本発明の特徴は、前記制御部が、以下の通り動作するようになっていることにある：
前記燃料電池の前記端子電圧をＶＦＣ、
前記蓄電装置の前記端子電圧をＶＢＡＴ、
前記モータにおける必要なトルクを確保しつつ当該燃料電池システムにおける損失が最小になるように設定された、前記負荷回路の入力端子電圧である、負荷回路入力下限電圧をＶＭ＿ｍｉｎ、
条件（１）…ＶＦＣ＞ＶＭ＿ｍｉｎ
条件（２）…ＶＦＣ＞ＶＢＡＴ＋α（αは符号が正の定数）
とすると、
前記条件（１）が成立しかつ前記条件（２）が成立する場合には、前記第一電圧変換器による昇圧動作を停止させて前記燃料電池の出力を直接的に前記負荷回路に伝達する一方、
前記条件（１）又は前記条件（２）の少なくともいずれか一方が成立しない場合には、前記第一電圧変換器による昇圧動作の停止を禁止する。
【０００７】
前記条件（１）が成立する場合、前記燃料電池の前記端子電圧の方が、前記負荷回路入力下限電圧（前記モータにおける必要なトルクを確保しつつ当該燃料電池システムにおける損失が最小になるように設定された前記負荷回路の前記入力端子電圧）よりも高い。よって、この場合、前記燃料電池の前記端子電圧を昇圧することなく直接的に前記燃料電池の出力を前記負荷回路の入力端子に伝達することが、可能である。
【０００８】
ここで、前記条件（２）における「ＶＢＡＴ＋α」は、具体的には、前記蓄電装置の前記端子電圧がＶＢＡＴであるときにおける、昇圧型の前記第二電圧変換器による電圧制御が可能な下限電圧（本出願人の先願に係る特開２０１０−２７３４９６号公報における「昇圧可能な最低電圧」）に相当するものである。すなわち、前記条件（２）が成立する場合、前記第二電圧変換器の入力側の電圧に対して、当該第二電圧変換器の出力側の電圧が、安定的に昇圧制御可能な関係になっている。このため、前記条件（２）が成立する場合、前記第一電圧変換器による昇圧動作が停止されても（すなわち前記負荷回路の前記入力端子電圧が昇圧型の前記第一電圧変換器による電圧制御を受けていない状態であっても）、前記負荷回路の前記入力端子電圧は、昇圧型の前記第二電圧変換器による安定的な電圧制御を受けることが可能である。
【０００９】
そこで、本発明の燃料電池システムにおいては、前記条件（１）が成立しかつ前記条件（２）が成立する場合には、前記第一電圧変換器による昇圧動作が停止される。すると、前記負荷回路の前記入力端子は、前記燃料電池と電気的に直結される。また、前記燃料電池の出力は、前記第一電圧変換器におけるスイッチング動作を経ることなく、直接的に前記負荷回路の前記入力端子に伝達可能となる。
【００１０】
よって、上述の構成を備えた本発明の燃料電池システムによれば、前記第一電圧変換器におけるスイッチング損失が低減され、以てシステム効率が向上する。また、前記負荷回路の前記入力端子電圧、及び当該入力端子と電気的に直結された状態の前記燃料電池における前記端子電圧が、前記第二電圧変換器によって、安定的に制御され得る。
【００１１】
一方、前記条件（１）が成立しない場合、前記燃料電池の前記端子電圧を昇圧する必要がある。また、前記条件（１）が成立していても前記条件（２）が成立しない場合、前記第一電圧変換器を停止させると、前記第二電圧変換器の入力側の電圧に対して、当該第二電圧変換器の出力側の電圧が、安定的に昇圧制御可能な関係にならない。このため、前記条件（２）が成立しない場合に前記第一電圧変換器を停止させてしまうと、前記負荷回路の前記入力端子電圧、及び当該入力端子と電気的に直結された状態の前記燃料電池における前記端子電圧は、安定的な電圧制御を受けることができない。
【００１２】
そこで、本発明の燃料電池システムにおいては、前記条件（１）又は前記条件（２）の少なくともいずれか一方が成立しない場合には、前記第一電圧変換器による昇圧動作の停止が禁止される。このとき、前記負荷回路の前記入力端子電圧は、前記第一電圧変換器（及び前記第二電圧変換器）の動作による電圧制御を受ける。
【００１３】
このように、かかる構成を備えた本発明の燃料電池システムによれば、前記負荷回路の前記入力端子電圧や、前記燃料電池の前記端子電圧が、良好に制御されるとともに、良好なシステム効率が達成される。  
【図面の簡単な説明】
【００１４】
【図１】図１は、本発明の燃料電池システムの一実施形態及びこれを搭載した車両の概略構成を示す図である。
【図２】図２は、図１に示されているＦＣ昇圧コンバータの電気回路構成を示す図である。
【図３】図３は、図１に示されている制御部内のＲＯＭに格納されている、負荷回路入力下限電圧ＶＭ＿ｍｉｎの取得のためのマップの概略を示す図である。
【図４】図４は、図３に示されている負荷回路入力下限電圧ＶＭ＿ｍｉｎの取得のためのマップの導出過程を説明するための参考図である。
【図５】図５は、図３に示されている負荷回路入力下限電圧ＶＭ＿ｍｉｎの取得のためのマップの導出過程を説明するための参考図である。
【図６】図６は、図１に示されている制御部内のＣＰＵによって実行される、ＦＣ昇圧コンバータの動作制御処理の一具体例を示すフローチャートである。
【発明を実施するための形態】
【００１５】
以下、本発明の実施形態について、図面を参照しつつ説明する。なお、以下の実施形態に関する記載は、法令で要求されている明細書の記載要件（記述要件・実施可能要件）を満たすために、本発明の具体化の単なる一例を、可能な範囲で具体的に記述しているものにすぎない。よって、後述するように、本発明が、以下に説明する実施形態の具体的構成に何ら限定されるものではないことは、全く当然である。本実施形態に対して施され得る各種の変更（変形例：modification）は、当該実施形態の説明中に挿入されると、一貫した実施形態の説明の理解が妨げられるので、末尾にまとめて記載されている。
【００１６】
［システムの構成］
図１は、本発明の燃料電池システムの一実施形態及びこれを搭載した車両ＷＶの概略構成を示す図である。この車両ＷＶには、本実施形態に係る燃料電池システム１０が搭載されている。本実施形態の燃料電池システム１０は、燃料電池１１と、ＦＣ昇圧コンバータ１２と、バッテリ１３と、バッテリ昇圧コンバータ１４と、インバータ１５と、モータ１６と、水素タンク１７と、コンプレッサ１８と、制御部２０と、を備えている。この燃料電池システム１０は、燃料電池１１及び／又はバッテリ１３から出力された電力を、インバータ１５を介してモータ１６に供給することで、駆動輪Ｗを駆動するようになっている
【００１７】
燃料電池１１は、ＦＣ昇圧コンバータ１２を介して、インバータ１５と電気的に接続されている。また、バッテリ１３は、バッテリ昇圧コンバータ１４を介して、インバータ１５と電気的に接続されている。本発明の負荷回路に相当するインバータ１５は、ＦＣ昇圧コンバータ１２及びバッテリ昇圧コンバータ１４と、モータ１６と、の間に設けられている。すなわち、燃料電池１１及びバッテリ１３は、インバータ１５及びモータ１６と並列に接続されている。
【００１８】
本発明の第一電圧変換器に相当するＦＣ昇圧コンバータ１２は、昇圧型ＤＣ−ＤＣコンバータであって、入力された燃料電池１１の端子電圧を昇圧してインバータ１５側に出力可能に構成されている。図２は、図１に示されているＦＣ昇圧コンバータ１２の電気回路構成を示す図である。なお、図２においては、図示の簡略化のため、バッテリ１３及びバッテリ昇圧コンバータ１４については図示が省略されているものとする。
【００１９】
図２に示されているように、このＦＣ昇圧コンバータ１２は、昇圧動作時にはスイッチング素子Ｓ１におけるスイッチングデューティ比を調整することで昇圧比を変更可能であるとともに、昇圧動作の停止時にはコイルＬ１及びダイオードＤ５を介して燃料電池１１の端子電圧を直接的にインバータ１５に伝達可能に構成されている（なお、図２に示されている電気回路構成を見れば、当業者であればＦＣ昇圧コンバータ１２が具体的にどのように動作するものであるかは容易に理解可能であるが、必要であれば、特開２００９−１６５２４４号公報等を参照。）。
【００２０】
再び図１を参照すると、本発明の第二電圧変換器に相当するバッテリ昇圧コンバータ１４は、昇圧型ＤＣ−ＤＣコンバータであって、入力されたバッテリ１３の端子電圧を昇圧してインバータ１５側に出力可能に構成されている。
【００２１】
制御部（ＥＣＵ）２０は、燃料電池システム１０における各部の動作を制御するための、いわゆるマイクロコンピュータであって、ＣＰＵと、ＲＯＭと、ＲＡＭと、バックアップＲＡＭと、インターフェースと、これらを接続する双方向バスと、を備えている。ＲＯＭには、ＣＰＵが実行するルーチン（プログラム）、及びこのルーチンの実行時に参照されるテーブル（ルックアップテーブル、マップ）、等が、予め格納されている。
【００２２】
制御部２０は、上述のインターフェースを介して、燃料電池１１やバッテリ１３に設けられている図示しないセンサ（電流センサや電圧センサ等）や、モータ１６に設けられている図示しない回転数センサや、アクセルペダルセンサ２１等の、各種センサ類と電気的に接続されている。また、制御部２０は、ＦＣ昇圧コンバータ１２、バッテリ昇圧コンバータ１４、インバータ１５、及びモータ１６と、上述のインターフェースを介して電気的に接続されていて、これらの動作を制御するようになっている。さらに、制御部２０は、燃料ガス供給系（水素タンク１７に設けられた図示しない開閉弁等）や酸化ガス供給系（コンプレッサ１８等）と電気的に接続されていて、これらの動作を制御するようになっている。
【００２３】
［システムの動作の概要］
制御部２０は、モータ回転数やアクセルペダルセンサ２１によって検知されたアクセルペダル操作量等に基づいて、燃料電池システム１０全体の要求電力（車両走行電力と補機電力との合計値）を算出するとともに、燃料電池１１とバッテリ１３とのそれぞれの出力電力の配分を決定する。また、制御部２０は、燃料電池１１の発電量が目標電力に一致するように燃料ガス供給系や酸化ガス供給系を制御するとともに、ＦＣ昇圧コンバータ１２やバッテリ昇圧コンバータ１４を制御して燃料電池１１の運転ポイント（端子電圧及び出力電流）を制御する。さらに、制御部２０は、アクセルペダル操作量等に応じた目標トルクが得られるように、インバータ１５を介して、モータ１６の出力トルク及び回転数を制御する。
【００２４】
本実施形態の燃料電池システム１０においては、燃料電池１１とインバータ１５との間にＦＣ昇圧コンバータ１２が設けられているため、燃料電池１１の端子電圧を昇圧してインバータ１５（モータ１６）に供給することが可能である。このため、燃料電池１１における、セル積層枚数の低減等による小型化が図られる。これにより、車両ＷＶの重量が低減され、以て車両ＷＶのエネルギー効率の向上が更に促進される。
【００２５】
ところで、かかる燃料電池システム１０においては、発電可能な燃料電池１１が、モータ１６のメイン電力源となっている。したがって、燃料電池１１とインバータ１５との間に介在するＦＣ昇圧コンバータ１２における電力損失を低減することが、燃料電池システム１０全体の効率向上に大きく寄与すると考えられる。そこで、本実施形態の燃料電池システム１０においては、ＦＣ昇圧コンバータ１２の間欠運転制御を行うことで、ＦＣ昇圧コンバータ１２におけるスイッチング損失が可及的に抑制される。これにより、システム効率が向上する。
【００２６】
ここで、ＦＣ昇圧コンバータ１２の間欠運転制御における、ＦＣ昇圧コンバータ１２の昇圧動作を停止させる条件は、以下の条件（１）及び（２）の双方が成立することである。一方、条件（１）又は条件（２）の少なくともいずれか一方が成立しない場合には、ＦＣ昇圧コンバータ１２による昇圧動作の停止が禁止される（すなわち、ＦＣ昇圧コンバータ１２における昇圧動作が維持される。）。
条件（１）…ＶＦＣ＞ＶＭ＿ｍｉｎ
条件（２）…ＶＦＣ＞ＶＢＡＴ＋α
【００２７】
上記条件中、ＶＦＣは燃料電池１１の端子電圧、ＶＢＡＴはバッテリ１３の端子電圧、ＶＭ＿ｍｉｎは負荷回路入力下限電圧、αは符号が正の定数である。負荷回路入力下限電圧ＶＭ＿ｍｉｎは、モータ１６における必要なトルクを確保しつつ、当該燃料電池システム１０における損失が最小になるように設定された、インバータ１５の入力端子電圧である。
【００２８】
図３は、図１に示されている制御部２０内のＲＯＭに格納されている、負荷回路入力下限電圧ＶＭ＿ｍｉｎの取得のためのマップの概略を示す図である。なお、図３中、横軸はモータ回転数Ｎ、縦軸はモータトルクＴをそれぞれ示し、最も右上側の点線はモータ１６における発生可能な最大トルク線を示すものである。図３に示されているように、負荷回路入力下限電圧ＶＭ＿ｍｉｎは、モータ回転数ＮとモータトルクＴとに基づいて、図３に示されているようなマップから取得される。
【００２９】
図４及び図５は、図３に示されている負荷回路入力下限電圧ＶＭ＿ｍｉｎの取得のためのマップの導出過程を説明するための参考図である。図３に示されているようなマップは、インバータ１５の入力端子電圧であるインバータ電圧ＶＭとモータ回転数Ｎとに応じたモータ１６の発生可能な上限トルク（図４参照：図４中の実線は、図３に示されている最大トルク線と同一である。）と、燃料電池１１の各運転ポイントにおける燃料電池システム１０の損失特性と、に基づいて、計算上求められる。
【００３０】
ここで、ＦＣ昇圧コンバータ１２やバッテリ昇圧コンバータ１４やインバータ１５におけるスイッチング損失は、印加電圧が低いほど小さい。また、モータ１６における鉄損（ヒステリシス損及び渦電流損）もまた、印加電圧が低いほど小さい。すなわち、スイッチング損失及び鉄損の観点からは、インバータ電圧ＶＭが低いほど損失が小さくなる。
【００３１】
一方、図５は、各インバータ電圧ＶＭの値における最も効率の高い運転ポイントを等高線で示す図である。この図５から明らかなように、インバータ電圧ＶＭを低くすることで、逆に、電流が大きくなることによる損失（例えば銅損）の増大が発生する場合もある。さらに、ＦＣ昇圧コンバータ１２に設けられたリレー等の各回路要素によって定められる、連続定格電流の制約も存在する。
【００３２】
したがって、概念的には、以下のようにして負荷回路入力下限電圧ＶＭ＿ｍｉｎが求められる。まず、現在のモータ回転数Ｎ及び要求トルクＴと、図４に示されているマップと、上述の連続定格電流とから、モータ１６の駆動のために必要最低限のインバータ電圧ＶＭ１（要求トルクＴが得られ且つ電流が連続定格値を超えない程度で最も低くすることができるインバータ電圧ＶＭ）が決定される。そして、かかるインバータ電圧ＶＭ１と、各運転ポイントにおける損失特性（図５等）と、に基づいて、負荷回路入力下限電圧ＶＭ＿ｍｉｎが算出される。具体的には、例えば、上述のようにして決定されたインバータ電圧ＶＭ１よりも電圧を微小量ΔＶＭ上げた場合にシステム効率が向上する場合には、当該ΔＶＭを加えた新たな値を新たなインバータ電圧ＶＭ１とし、これを繰り返すことによって、最終的に負荷回路入力下限電圧ＶＭ＿ｍｉｎが求められる。すなわち、図３のマップは、図４のマップを図５のマップ等によって修正したものである、ということができる。
【００３３】
［動作の具体例］
図６は、図１に示されている制御部２０内のＣＰＵ（以下、単に「ＣＰＵ」と称する。）によって実行される、ＦＣ昇圧コンバータ１２の動作制御処理の一具体例を示すフローチャートである。なお、図６のフローチャートにおいて、「ステップ」は「Ｓ」と略記されている。
【００３４】
ＣＰＵは、図６に示されているＦＣ昇圧コンバータ制御ルーチン６００を、所定時間毎に実行する。かかるルーチン６００の実行が開始されると、まず、ＣＰＵは、ステップ６１０において、現在のモータ回転数Ｎやアクセルペダル操作量等に基づいて、モータトルクＴを算出する。次に、ＣＰＵは、ステップ６２０において、上述のように、モータ回転数ＮとモータトルクＴとに基づいて、負荷回路入力下限電圧ＶＭ＿ｍｉｎを取得する。続いて、ＣＰＵは、ステップ６３０において燃料電池端子電圧ＶＦＣを取得するとともに、ステップ６４０においてバッテリ端子電圧ＶＢＡＴを取得する。
【００３５】
その後、ＣＰＵは、ステップ６５０において、上述の条件（１）が成立するか否かを判定する。この条件（１）が成立する場合（ステップ６５０＝Ｙｅｓ）、処理がステップ６６０に進行して、ＣＰＵは上述の条件（２）が成立するか否かを判定する。この条件（２）が成立する場合（ステップ６６０＝Ｙｅｓ）、処理がステップ６７０に進行して、ＣＰＵは、ＦＣ昇圧コンバータ１２におけるスイッチング動作を停止させ、本ルーチンを一旦終了する。一方、条件（１）又は条件（２）の少なくともいずれか一方が成立しない場合、処理がステップ６８０に進行して、ＣＰＵは、ＦＣ昇圧コンバータ１２におけるスイッチング動作の停止を禁止し、本ルーチンを一旦終了する。
【００３６】
［作用・効果］
条件（１）が成立する場合、すなわち、燃料電池端子電圧ＶＦＣの方が負荷回路入力下限電圧ＶＭ＿ｍｉｎよりも高い場合、ＦＣ昇圧コンバータ１２による昇圧動作を停止して（すなわち燃料電池１１の端子電圧を昇圧することなく）、燃料電池１１の出力を直接的にインバータ１５の入力端子に伝達することが可能である。
【００３７】
また、条件（２）が成立する場合、バッテリ昇圧コンバータ１４の入力側の電圧に対して、当該バッテリ昇圧コンバータ１４の出力側の電圧が、安定的に昇圧制御可能な関係になっている。このため、条件（２）が成立する場合、ＦＣ昇圧コンバータ１２による昇圧動作が停止されても（すなわちインバータ１５の入力端子電圧が昇圧型のＦＣ昇圧コンバータ１２による電圧制御を受けていない状態であっても）、インバータ１５の入力端子電圧は、昇圧型のバッテリ昇圧コンバータ１４による安定的な電圧制御を受けることが可能である。
【００３８】
そこで、本実施形態の燃料電池システム１０においては、条件（１）が成立しかつ条件（２）が成立する場合には、ＦＣ昇圧コンバータ１２による昇圧動作が停止され、燃料電池１１の出力が直接的にインバータ１５に伝達される。これにより、ＦＣ昇圧コンバータ１２にて本来生じるはずのスイッチング損失が低減され、以てシステム効率が向上する。また、インバータ１５の入力端子電圧、及び当該入力端子と電気的に直結された状態の燃料電池１１における端子電圧が、バッテリ昇圧コンバータ１４によって、安定的に制御され得る。
【００３９】
一方、条件（１）が成立しない場合、燃料電池１１の端子電圧を昇圧する必要がある。また、条件（１）が成立していても条件（２）が成立しない場合、バッテリ昇圧コンバータ１４の入力側の電圧に対して、当該バッテリ昇圧コンバータ１４の出力側の電圧が、安定的に昇圧制御可能な関係にならない。このため、条件（２）が成立しない場合にＦＣコンバータ１２を停止させてしまうと、インバータ１５の入力端子電圧、及び当該入力端子と電気的に直結された状態の燃料電池１１における端子電圧は、安定的な電圧制御を受けることができない。
【００４０】
そこで、本実施形態の燃料電池システム１０においては、条件（１）又は条件（２）の少なくともいずれか一方が成立しない場合には、ＦＣ昇圧コンバータ１２による昇圧動作の停止が禁止される。よって、この場合、インバータ１５の入力端子電圧は、ＦＣ昇圧コンバータ１２（及びバッテリ昇圧コンバータ１４）の動作による電圧制御を受ける。
【００４１】
このように、本実施形態の燃料電池システム１０によれば、インバータ１５の入力端子電圧や、燃料電池１１の端子電圧が、良好に制御されるとともに、良好なシステム効率が達成される。また、燃料電池１１やバッテリ１３に接続された電圧変換器として、昇圧型のＤＣ−ＤＣコンバータを用いることで、装置内部のスイッチング素子の数を可及的に少なくすることができ、装置構成の簡略化及びさらなるシステム効率の向上が図られる。
【００４２】
［変形例の例示列挙］
なお、上述の実施形態は、上述した通り、出願人が取り敢えず本願の出願時点において最良であると考えた本発明の代表的な実施形態を単に例示したものにすぎない。よって、本発明はもとより上述の実施形態に何ら限定されるものではない。したがって、本発明の本質的部分を変更しない範囲内において、上述の実施形態に対して種々の変形が施され得ることは、当然である。
【００４３】
以下、代表的な変形例について、幾つか例示する。もっとも、言うまでもなく、変形例とて、以下に列挙されたものに限定されるものではない。また、複数の変形例が、技術的に矛盾しない範囲内において、適宜、複合的に適用され得る。
【００４４】
本発明（特に、本発明の課題を解決するための手段を構成する各構成要素における、作用的・機能的に表現されているもの）は、上述の実施形態や、下記変形例の記載に基づいて限定解釈されてはならない。このような限定解釈は、（先願主義の下で出願を急ぐ）出願人の利益を不当に害する反面、模倣者を不当に利するものであって、許されない。
【００４５】
本発明は、上述の実施形態にて開示された具体的な装置構成に限定されない。例えば、本発明は、燃料電池システムを搭載した車両に限定されない。また、本発明の「蓄電装置」は、バッテリに何ら限定されない。具体的には、例えば、「蓄電装置」として、キャパシタ等が利用可能である。さらに、複数の燃料電池スタックや複数の蓄電装置が設けられた構成に対しても、本発明は好適に適用可能である。
【００４６】
本発明は、上記の実施形態にて開示された具体的な処理に限定されない。例えば、マップで取得されたパラメータは、計算によって求めることも可能である。
【００４７】
燃料電池１１の運転ポイント（特に端子電圧）を良好に制御するためには、燃料電池１１にて出力が生じるときにはバッテリ昇圧コンバータ１４が常時動作していることが好ましい。これにより、燃料電池１１の端子電圧が開放端子電圧近傍まで上昇することによるシンタリングの発生等の不具合の発生が、可及的に回避される。かかる観点からは、燃料電池１１にて出力が生じるときは、バッテリ昇圧コンバータ１４による電圧制御が可能な下限電圧よりもインバータ１５の入力端子電圧の方が低くならないように、燃料電池システム１０が制御されることが好ましい。
【００４８】
その他、特段に言及されていない変形例についても、本発明の本質的部分を変更しない範囲内において、本発明の範囲内に含まれることは当然である。また、本発明の課題を解決するための手段を構成する各要素における、作用・機能的に表現されている要素は、上述の実施形態や変形例にて開示されている具体的構造の他、当該作用・機能を実現可能ないかなる構造をも含む。さらに、本明細書にて引用した各公報の内容（明細書及び図面を含む）は、本明細書の一部を構成するものとして援用され得る。
【符号の説明】
【００４９】
１０…燃料電池システム          ＷＶ…車両                    Ｗ  …駆動輪
１１…燃料電池                  １２…ＦＣ昇圧コンバータ      １３…バッテリ
１４…バッテリ昇圧コンバータ    １５…インバータ              １６…モータ
１７…水素タンク                １８…コンプレッサ
２０…制御部                    ２１…アクセルペダルセンサ
【先行技術文献】
【特許文献】
【００５０】
【特許文献１】特開２００７−２０９１６１号公報
【特許文献２】特開２００７−３１８９３８号公報
【特許文献３】特開２０１０−４５８８９号公報
【特許文献４】特開２０１０−１２４６８９号公報
【図１】
2015038882.tif 000003
【図２】
2015038882.tif 000004
【図３】
2015038882.tif 000005
【図４】
2015038882.tif 000006
【図５】
2015038882.tif 000007
【図６】
2015038882.tif 000008
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
モータと、
前記モータと並列に接続された燃料電池及び蓄電装置と、
前記モータと前記燃料電池との間に設けられていて、入力された前記燃料電池の端子電圧を昇圧して出力する、第一電圧変換器と、
前記モータと前記蓄電装置との間に設けられていて、入力された前記蓄電装置の端子電圧ＶＢＡＴを同端子電圧ＶＢＡＴに正の定数αを加えた電圧（ＶＢＡＴ＋α）以上の範囲の電圧に昇圧制御可能な第二電圧変換器と、
前記第一電圧変換器及び前記第二電圧変換器と前記モータとの間に設けられた、負荷回路と、
を含み、前記燃料電池及び／又は前記蓄電装置から出力された電力を、前記負荷回路を介して前記モータに供給する、燃料電池システムにおいて、
前記燃料電池の前記端子電圧をＶＦＣ、前記モータにおける必要なトルクを確保するように設定された前記負荷回路の入力端子電圧である負荷回路入力下限電圧をＶＭ＿ｍｉｎ、とすると、前記第二電圧変換器が昇圧操作を実行中であって、ＶＦＣ＞ＶＭ＿ｍｉｎかつＶＦＣ＞ＶＢＡＴ＋αの条件が成立する場合には前記第一電圧変換器による昇圧動作を停止させて前記燃料電池の出力を直接的に前記負荷回路に接続し且つ前記負荷回路の入力端子電圧を前記第二電圧変換器によって制御し、前記条件が成立しない場合には前記第一電圧変換器による昇圧動作の停止を禁止する、制御部を備えたことを特徴とする、燃料電池システム。
【請求項２】
請求項１に記載の、燃料電池システムにおいて、
前記負荷回路入力下限電圧ＶＭ＿ｍｉｎは前記燃料電池システムにおける損失が最小になるように設定された、燃料電池システム。
【手続補正２】
【補正対象書類名】明細書
【補正対象項目名】０００６
【補正方法】変更
【補正の内容】
【０００６】
本発明の特徴は、前記制御部が、以下の通り動作するようになっていることにある：
前記燃料電池の前記端子電圧をＶＦＣ、
前記蓄電装置の前記端子電圧をＶＢＡＴ、
前記モータにおける必要なトルクを確保するように設定された、前記負荷回路の入力端子電圧である、負荷回路入力下限電圧をＶＭ＿ｍｉｎ、
条件（１）…ＶＦＣ＞ＶＭ＿ｍｉｎ
条件（２）…ＶＦＣ＞ＶＢＡＴ＋α（αは符号が正の定数）
とすると、
前記第二電圧変換器が昇圧操作を実行中であって、前記条件（１）が成立しかつ前記条件（２）が成立する場合には、前記第一電圧変換器による昇圧動作を停止させて前記燃料電池の出力を直接的に前記負荷回路に接続し且つ前記負荷回路の入力端子電圧を前記第二電圧変換器によって制御し、
前記条件（１）又は前記条件（２）の少なくともいずれか一方が成立しない場合には、前記第一電圧変換器による昇圧動作の停止を禁止する。
【手続補正３】
【補正対象書類名】明細書
【補正対象項目名】０００７
【補正方法】変更
【補正の内容】
【０００７】
前記条件（１）が成立する場合、前記燃料電池の前記端子電圧の方が、前記負荷回路入力下限電圧よりも高い。よって、この場合、前記燃料電池の前記端子電圧を昇圧することなく直接的に前記燃料電池の出力を前記負荷回路の入力端子に伝達することが、可能である。
【手続補正４】
【補正対象書類名】明細書
【補正対象項目名】０００８
【補正方法】変更
【補正の内容】
【０００８】
ここで、前記条件（２）における「ＶＢＡＴ＋α」は、具体的には、前記蓄電装置の前記端子電圧がＶＢＡＴであるときにおける前記第二電圧変換器による電圧制御が可能な下限電圧（本出願人の先願に係る特開２０１０−２７３４９６号公報における「昇圧可能な最低電圧」）に相当するものである。すなわち、前記条件（２）が成立する場合、前記第二電圧変換器の入力側の電圧に対して、当該第二電圧変換器の出力側の電圧が、安定的に昇圧制御可能な関係になっている。このため、前記条件（２）が成立する場合、前記第一電圧変換器による昇圧動作が停止されても、前記負荷回路の前記入力端子電圧は、昇圧型の前記第二電圧変換器による安定的な電圧制御を受けることが可能である。